(57)【要約】【課題】  簡単な構成により、無鳴動着信モードが設定されている場合にも、ファクシミリ装置に接続された電話機に発信元の電話番号を表示させることを可能にするための仕組みを提供する【解決手段】  電話回線に接続するための電話回線Ｉ／Ｆ２１０、ファクシミリ装置に接続するためのファクシミリ通信回路２３０、及び電話回線から伝送される発信電話番号情報に基づいて発信元の電話番号を表示することが可能な電話機１８０に接続するための電話機Ｉ／Ｆ２２０を備えたＮＣＵ１００において、電話機１８０が発信電話番号情報を受信したか否かを判定し（Ｓ４０６）、この判定の結果、電話機１８０が発信電話番号情報を受信したと判定された場合に、電話回線Ｉ／Ｆ２１０と電話機Ｉ／Ｆ２２０とが接続された状態から接続されていない状態に切り替えるようＨリレー２５０を制御する。【選択図】  図４
2009303132.tif 000002
【特許請求の範囲】
【請求項１】
電話回線に接続するための第１のインターフェース、ファクシミリ装置に接続するための第２のインターフェース、及び前記電話回線から伝送される発信電話番号情報に基づいて発信元の電話番号を表示することが可能な電話機に接続するための第３のインターフェースを備えた回線制御装置であって、
前記第１のインターフェースと前記第３のインターフェースとの接続の状態を切り替える第１の切替手段と、
前記電話機が前記発信電話番号情報を受信したか否かを判定する判定手段と、
前記判定手段による判定の結果、前記電話機が前記発信電話番号情報を受信したと判定された場合に、前記第１のインターフェースと前記第３のインターフェースとが接続された状態から接続されていない状態に切り替えるよう前記第１の切替手段を制御する制御手段と、
を備えることを特徴とする回線制御装置。
【請求項２】
前記判定手段は、前記発信電話番号情報を受信したことが前記電話機から通知された場合に、該電話機が前記発信電話番号情報を受信したと判定することを特徴とする請求項１に記載の回線制御装置。
【請求項３】
前記制御手段が、前記第１のインターフェースと前記第３のインターフェースとが接続された状態から接続されていない状態に切り替えるよう前記第１の切替手段を制御した場合に、前記電話機に対して直流電圧を供給する供給手段を更に備えることを特徴とする請求項１または２に記載の回線制御装置。
【請求項４】
前記制御手段が、前記第１のインターフェースと前記第３のインターフェースとが接続された状態から接続されていない状態に切り替えるよう前記第１の切替手段を制御した後、前記電話回線からの呼出信号を検知する呼出信号検知手段を更に備えることを特徴とする請求項１から３のいずれか１項に記載の回線制御装置。
【請求項５】
前記第１のインターフェースと前記第２のインターフェースとの接続状態を切り替える第２の切替手段を更に備え、
前記呼出信号検知手段が前記電話回線からの呼出信号を検知したことに応じて、前記制御手段は、前記第１のインターフェースと前記第２のインターフェースとが接続されていない状態から接続された状態に切り替えるよう前記第２の切替手段を制御することを特徴とする請求項４に記載の回線制御装置。
【請求項６】
前記制御手段が、前記第１のインターフェースと前記第３のインターフェースとが接続された状態から接続されていない状態に切り替えるよう前記第１の切替手段を制御した後、前記電話回線からの着信が電話着信またはファクシミリ着信のいずれであるかを識別する識別手段を更に備えることを特徴とする請求項１から５のいずれか１項に記載の回線制御装置。
【請求項７】
前記識別手段が、前記電話回線からの着信が電話着信であると識別した場合に、前記電話機に対して擬似呼出信号を出力する出力手段を更に備えることを特徴とする請求項６に記載の回線制御装置。
【請求項８】
前記電話機のオフフックを検知するオフフック検知手段を更に備え、
前記制御手段は、前記オフフック検知手段が前記電話機のオフフックを検知したことに応じて、前記第１のインターフェースと前記第３のインターフェースとが接続されていない状態から接続された状態に切り替えるよう前記第１の切替手段を制御することを特徴とする請求項１から７のいずれか１項に記載の回線制御装置。
【請求項９】
電話回線に接続するための第１のインターフェース、ファクシミリ装置に接続するための第２のインターフェース、及び前記電話回線から伝送される発信電話番号情報に基づいて発信元の電話番号を表示することが可能な電話機に接続するための第３のインターフェースを備えた回線制御装置における回線制御方法であって、
前記第１のインターフェースと前記第３のインターフェースとの接続の状態を切り替える第１の切替工程と、
前記電話機が前記発信電話番号情報を受信したか否かを判定する判定工程と、
前記判定工程における判定の結果、前記電話機が前記発信電話番号情報を受信したと判定された場合に、前記第１のインターフェースと前記第３のインターフェースとが接続された状態から接続されていない状態に切り替えるよう前記第１の切替工程を制御する制御工程と、
を備えることを特徴とする回線制御方法。
【請求項１０】
請求項９に記載の回線制御方法をコンピュータに実行させるためのプログラム。
【請求項１１】
請求項９に記載の回線制御方法をコンピュータに実行させるためのプログラムを記憶したコンピュータ読み取り可能な記憶媒体。
【発明の詳細な説明】
【技術分野】
【０００１】
本発明は、電話回線、ファクシミリ装置、及び電話回線から伝送される発信電話番号情報に基づいて発信元の電話番号を表示することが可能な電話機に接続される回線制御装置、及びその回線制御方法、プログラム、記憶媒体に関するものである。
【背景技術】
【０００２】
近年、ファクシミリ着信時における電話機の不要な呼出音の鳴動を避けるため、ファクシミリ着信があった場合に呼出音を鳴らさずに自動で応答する機能（無鳴動着信モード）を備えたファクシミリ装置が知られている。
【０００３】
図８は、鳴動着信モードが設定されている（無鳴動着信モードが設定されていない）場合の待機状態におけるファクシミリ装置のＮＣＵ（ネットワークコントロールユニット）の様子を示している。図８に示す例では、ＣＭＬリレー及びＨリレーがともにＯＦＦ状態（リレーに電圧がかかっていない状態）となっており、電話回線Ｉ／Ｆ（インターフェース）と電話機Ｉ／Ｆとが接続されている。
【０００４】
そして、鳴動着信モードが設定されている状態でファクシミリ着信があった場合は、電話回線からの呼出信号（ＣＩ信号）が電話機に伝送され、電話機が鳴動する。そして、電話に出たユーザがファクシミリ受信を指示すると、ＣＭＬリレーがＯＮ状態（リレーに電圧がかかっている状態）となり、電話回線Ｉ／Ｆとファクシミリ通信回路とが接続される。
【０００５】
これに対して、無鳴動着信モードが設定されている場合におけるＮＣＵの様子を図９に示す。図９に示す例では、ＣＭＬリレーはＯＦＦ状態であり、ＨリレーはＯＮ状態となっている。即ち、電話機Ｉ／Ｆは電話回線Ｉ／Ｆに接続されていない。
【０００６】
この状態でファクシミリ着信があった場合は、電話回線からのＣＩ信号は電話機には伝送されない。その代わりに、電話回線からのＣＩ信号はＣＩ信号検知回路により検知される。ＣＩ信号検知回路によりＣＩ信号が検知された場合には、ＣＭＬリレーがＯＮ状態となり、電話回線Ｉ／Ｆとファクシミリ通信回路とが接続される。そして、ファクシミリ通信回路においてＣＮＧ（コーリングトーン）信号が検知された場合は、ファクシミリ通信回路がファクシミリ通信を実行する。
【０００７】
一方、ファクシミリ通信回路においてＣＮＧ信号が検知されない場合は、ファクシミリ装置本体のスピーカを鳴動させるか、または電話機に対して擬似ＣＩ信号を送出して電話機を鳴動させる。なお、擬似ＣＩ信号を送出する場合は、図示しない擬似ＣＩ信号生成回路により生成された擬似ＣＩ信号が電話機Ｉ／Ｆを介して電話機に送出される。
【０００８】
以上のようにして、ファクシミリ着信の場合は電話機を鳴動させることなく自動的にファクシミリデータを受信するとともに、音声通話のための着信があった場合には、ファクシミリ装置本体または電話機を鳴動させてユーザに通知することができる。
【０００９】
ところで、近年では、着信があった場合に、ユーザが電話に出る前に、電話回線から通知される発信電話番号情報に基づいて、発信元の電話番号を電話機に表示させるサービス（ナンバーディスプレイサービス）が提供されている。
【００１０】
ナンバーディスプレイサービスでは、ナンバーディスプレイ対応の電話機を電話回線に接続しておくと、電話回線から伝送される発信電話番号情報が電話機に伝送されたことに応じて、発信元の電話番号が電話機に表示される。そして、発信電話番号情報に続いて電話回線から伝送されるＣＩ信号を電話機が受信したことに応じて、電話機が鳴動し始める。
【００１１】
しかしながら、従来のファクシミリ装置では、ファクシミリ装置にナンバーディスプレイ対応の電話機を接続すると、無鳴動着信モードが設定されている場合にナンバーディスプレイサービスを利用できないという問題があった。
【００１２】
即ち、図８に示すように、鳴動着信モードが設定されている場合は、待機状態において電話回線Ｉ／Ｆと電話機Ｉ／Ｆとが接続されているため、電話回線からの発信電話番号情報が電話機に伝送され、発信元の電話番号が電話機に表示される。
【００１３】
一方、図９に示すように、無鳴動着信モードが設定されている場合は、発信元の電話番号が電話機に表示されることはない。なぜなら、図９に示すように、無鳴動着信モードが設定されている場合は、待機状態において電話回線Ｉ／Ｆと電話機Ｉ／Ｆとが接続されていないため、電話回線から伝送される発信電話番号情報は電話機に伝送されない。
【００１４】
そして、ＣＩ信号検知回路がＣＩ信号を検知し、且つ、ファクシミリ通信回路においてＣＮＧ信号が検知されなかった場合に、上述した通り、ファクシミリ装置本体のスピーカを鳴動させるか、または電話機に擬似ＣＩ信号を送出する。この場合は、電話機は発信電話番号情報を受信していないので、当然ながら、電話機に発信元の電話番号は表示されない。
【００１５】
このような問題に対処すべく、特許文献１に記載の方法が考えられている。特許文献１に記載された方法によれば、電話回線から伝送されるナンバーディスプレイサービスの情報サービス信号を一旦メモリに記憶させ、擬似ＣＩ信号とともにこの情報サービス信号を電話機に送出する。これにより、ファクシミリ装置に接続された電話機に対して電話回線から伝送される情報サービス信号を供給することができる。
【特許文献１】特開２００１−３５８８４９号公報
【発明の開示】
【発明が解決しようとする課題】
【００１６】
ファクシミリ装置に電話機を接続して使用する場合、たとえそれがナンバーディスプレイ対応の電話機であったとしても、無鳴動着信モードが設定されている場合には、上述したように、電話機に発信元の電話番号を表示させることはできない。
【００１７】
また、特許文献１に記載の方法を採用すれば、無鳴動着信モードが設定されている場合においても、ファクシミリ装置に接続された電話機に発信元の電話番号を表示させることができる。
【００１８】
しかしながら、特許文献１に記載の方法を実現するためには、情報サービス信号を記憶するための構成、及び記憶した情報サービス信号を電話機に対して送出するための構成をＮＣＵに備えるようにする必要がある。しかしながら、従来のＮＣＵに対して上述したような構成を追加しようとすると、コストと手間がかかってしまう。
【００１９】
本発明は、上記の問題点に鑑みなされたものであり、簡単な構成により、無鳴動着信モードが設定されている場合にも、ファクシミリ装置に接続された電話機に発信元の電話番号を表示させることを可能にするための仕組みを提供することを目的とする。
【課題を解決するための手段】
【００２０】
上記の目的を達成するために本発明の回線制御装置は、電話回線に接続するための第１のインターフェース、ファクシミリ装置に接続するための第２のインターフェース、及び前記電話回線から伝送される発信電話番号情報に基づいて発信元の電話番号を表示することが可能な電話機に接続するための第３のインターフェースを備えた回線制御装置であって、前記第１のインターフェースと前記第３のインターフェースとの接続の状態を切り替える第１の切替手段と、前記電話機が前記発信電話番号情報を受信したか否かを判定する判定手段と、前記判定手段による判定の結果、前記電話機が前記発信電話番号情報を受信したと判定された場合に、前記第１のインターフェースと前記第３のインターフェースとが接続された状態から接続されていない状態に切り替えるよう前記第１の切替手段を制御する制御手段とを備えることを特徴とする。
【発明の効果】
【００２１】
本発明によれば、簡単な構成により、無鳴動着信モードが設定されている場合にも、ファクシミリ装置に接続された電話機に発信元の電話番号を表示させることができる。
【発明を実施するための最良の形態】
【００２２】
以下に、本発明の実施形態を説明する。
【００２３】
（第１の実施形態）
図１は、ファクシミリ装置の全体構成を示すブロック図である。ＮＣＵ１００は、電話回線とファクシミリ装置に外付けされる電話機１８０とを接続するか、または電話回線とファクシミリ装置本体とを接続するかを切り替える。
【００２４】
モデム１６０は、電話回線を介して送受信される画像信号を変復調する処理を行う。スピーカ部１７０は、音声を出力し、電話またはファクシミリの着信をユーザに通知する。
【００２５】
システム制御部１１０は、ＣＰＵ１１１、ＲＯＭ１１２、タイマー１１３、ＲＡＭ１１４を備える。ＣＰＵ１１１は、ＲＯＭ１１２に格納されたプログラムを読み出して実行し、ファクシミリ装置全体を制御する。ＲＡＭ１１４は、ファクシミリ通信により送受信される画像を記憶する。タイマー１１３は時間を計測する。
【００２６】
スキャナ部１２０は、原稿を読み取って、当該原稿上の画像に基づく画像データを生成し、システム制御部１１０に出力する。操作部１４０は、各種表示を行うための液晶表示部や、ユーザからの各種指示を受け付けるキー入力部などを備える。プリンタ部１３０は、ファクシミリ受信した画像やコピー出力する画像を記録紙に印刷する。電源部１５０は、ファクシミリ装置に電力を供給する。
【００２７】
図２は、本発明における回線制御装置として機能するＮＣＵ１００の構成を示すブロック図である。第１のインターフェースとして機能する電話回線Ｉ／Ｆ２１０は、電話回線とＮＣＵ１００とを接続する。
【００２８】
第２のインターフェースとして機能するファクシミリ通信回路２３０は、モデム１６０やファクシミリ装置本体とＮＣＵ１００とを接続する。第２の切替手段として機能するＣＭＬリレー２４０は、電話回線Ｉ／Ｆ２１０とファクシミリ通信回路２３０との接続状態を切り替える。ＣＭＬリレー２４０は、ＯＮ状態において、電話回線Ｉ／Ｆ２１０とファクシミリ通信回路２３０とを接続する。また、ＣＭＬリレー２４０は、ＯＦＦ状態において、電話回線Ｉ／Ｆ２１０と電話機Ｉ／Ｆ２２０とを接続する。
【００２９】
第３のインターフェースとして機能する電話機Ｉ／Ｆ２２０は、電話機１８０とＮＣＵ１００とを接続する。フック検知回路２６０は、電話機１８０のオフフックまたはオンフックを検知する。直流電圧発生回路／擬似ＣＩ信号生成回路２７０は、フック検知回路２６０が電話機１８０のオフフックを検知するために必要な電圧を発生させる。また、直流電圧発生回路／擬似ＣＩ信号生成回路２７０は、擬似ＣＩ信号を生成し、電話機Ｉ／Ｆ２２０を介して電話機１８０に送出する。
【００３０】
極性検知回路２０１及び２０２は、電話回線の極性を検知する。直流電圧発生回路／擬似ＣＩ信号生成回路２７０は、極性検知回路２０１及び２０２により検知された電話回線の極性に基づいて、電話機に対して供給する電圧の極性を決定する。
【００３１】
第１の切替手段として機能するＨリレー２５０は、電話回線Ｉ／Ｆ２１０と電話機Ｉ／Ｆ２２０との接続状態を切り替える。Ｈリレー２５０は、ＯＮ状態において、電話機Ｉ／Ｆ２２０と直流電圧発生回路／擬似ＣＩ信号生成回路２７０とを接続する。なお、このとき電話機１８０は電話回線には接続されていない。また、Ｈリレー２５０は、ＯＦＦ状態において、電話機Ｉ／Ｆ２２０と電話回線Ｉ／Ｆ２１０とを接続する。
【００３２】
図２に示す例では、ＣＭＬリレー２４０およびＨリレー２５０がともにＯＦＦ状態となっており、電話機１８０は電話回線に接続されている。
【００３３】
呼出信号検知手段として機能するＣＩ信号検知回路２８０は、電話回線から伝送されるＣＩ信号を検知する。リレードライブ回路２９０は、ＣＭＬリレー２４０やＨリレー２５０、或いは後述する極性切替リレー３０３を制御し、それぞれの接続状態を切り替える。
【００３４】
図３は、直流電圧発生回路／擬似ＣＩ信号生成回路２７０の構成を示す。Ｌ１及びＬ２からなるライン対はそれぞれＨリレー２５０及び電話機Ｉ／Ｆ２２０を介して電話機１８０に接続される。擬似ＣＩ信号生成回路３０１は、電話機１８０に送出するための擬似呼出信号（擬似ＣＩ信号）を生成する。
【００３５】
直流電圧発生回路３０２は、電話機１８０に供給するための直流電圧を発生させる。極性切替リレー３０３は、直流電圧発生回路３０２が発生させた直流電圧をＬ１及びＬ２を介して電話機１８０に送出する際の極性を切り替える。以上のような構成により、直流電圧発生回路／擬似ＣＩ信号生成回路２７０は、直流電圧発生回路３０２が発生させた直流電圧と、擬似ＣＩ信号生成回路３０１が生成した擬似ＣＩ信号とを重畳し、出力する。
【００３６】
図４は、無鳴動着信モードが設定されている状態で着信があった場合の一連の処理を明確に記述したフローチャートである。なお、このフローチャートにおける一連の動作の制御は、ＣＰＵ１１１がＲＯＭ１１２に格納されたプログラムに基づいて実行するものとする。
【００３７】
まず、ステップＳ４０１においてＨリレーをＯＦＦ状態にするとともに、ステップＳ４０２においてＣＭＬリレーをＯＦＦ状態にする。この状態で、図２に示すように電話回線Ｉ／Ｆ２１０と電話機Ｉ／Ｆ２２０は接続されている。つまり、電話機１８０が電話回線に接続されている。
【００３８】
ステップＳ４０３では、ファクシミリ装置に無鳴動着信モードが設定されたか否かを判定する。ファクシミリ装置のユーザは、操作部１４０のキー入力部を用いて、鳴動着信モードまたは無鳴動着信モードのいずれかを選択することができる。ステップＳ４０３では、このユーザによる選択に基づいて判定を行う。
【００３９】
ステップＳ４０３の判定の結果、無鳴動着信モードが設定されなかったと判定された場合、つまり鳴動着信モードが設定されたと判定された場合は、ステップＳ４０４に進み、通常の鳴動着信の処理を実行する。即ち、図２に示すように、ＣＭＬリレー２４０及びＨリレー２５０をともにＯＦＦ状態としたまま待機する。電話回線からＣＩ信号が伝送されてきた場合、即ち、ファクシミリまたは電話の着信があった場合は、ＣＩ信号は電話機１８０に伝送され、電話機１８０が鳴動する。そして、受けた着信がファクシミリ着信の場合は、その後ユーザからの指示に従ってＣＭＬリレーをＯＮ状態にし、ファクシミリ通信を実行する。
【００４０】
一方、ステップＳ４０３で、無鳴動着信モードが設定されていると判定された場合は、ステップＳ４０５に進み、電話機１８０からの一次応答信号を受信したか否かを判定する。この一次応答信号とは、電話回線から伝送される一次呼出信号（ＣＡＲ信号）を電話機１８０が受信したことを示す信号である。
【００４１】
すなわち、電話回線に接続された状態で待機している電話機１８０は、電話回線の極性反転を検知したあと、電話回線から伝送される一次呼出信号を受信する。そして、この一次呼出信号を受信した電話機１８０は、一次呼出信号を受信したことを示す一次応答信号を出力する。なお、この一次応答信号は、ＮＣＵ１００のフック検知回路２６０により検知されるオフフック信号である。
【００４２】
ステップＳ４０５で一次応答信号を受信したと判定された場合は、ステップＳ４０６に進み、電話機１８０からの受信完了信号を受信したか否かを判定する。この受信完了信号とは、電話回線から伝送される発信電話番号情報を電話機１８０が受信したことを示す信号である。
【００４３】
電話機１８０は、一次呼出信号に続いて電話回線から伝送される発信電話番号情報を受信する。そして、電話機１８０は、この発信電話番号情報を受信した後、発信電話番号情報を受信したことを示す受信完了信号を出力する。なお、この一次応答信号は、ＮＣＵ１００のフック検知回路２６０により検知されるオンフック信号である。
【００４４】
発信電話番号情報とは、ナンバーディスプレイサービスによって電話回線から伝送される情報であって、発信元の電話番号を示す情報である。ナンバーディスプレイ対応の電話機１８０は、この発信電話番号情報を受信すると、発信元の電話番号を表示する。
【００４５】
ステップＳ４０６で受信完了信号を受信したと判定された場合は、ステップＳ４０７に進み、ＮＣＵ１００の極性検知回路２０１及び２０２による電話回線の極性の検知を行う。そして、続くステップＳ４０８において、リレードライブ回路２９０がＨリレー２５０を制御し、Ｈリレー２５０をＯＮ状態にする。即ち、電話回線Ｉ／Ｆ２１０と電話機Ｉ／Ｆ２２０とが接続された状態から接続されていない状態に切り替える。
【００４６】
図５は、ステップＳ４０８でＨリレー２５０がＯＮ状態になった後のＮＣＵ１００を示す。図５に示すように、電話機Ｉ／Ｆ２２０と電話回線Ｉ／Ｆ２１０は接続されておらず、つまり、電話機１８０は電話回線に接続されていない。その代わりに、電話機Ｉ／Ｆ２２０は、Ｈリレー２５０を介して直流電圧発生回路／擬似ＣＩ信号生成回路２７０に接続されている。
【００４７】
ステップＳ４０９では、直流電圧発生回路／擬似ＣＩ信号生成回路２７０が発生させた直流電圧を電話機Ｉ／Ｆ２２０を介して電話機１８０に供給する。なお、この段階では擬似ＣＩ信号生成回路３０１により生成された擬似ＣＩ信号は供給されず、直流電圧発生回路３０２により発生された直流電圧のみが電話機１８０に供給される。
【００４８】
直流電圧発生回路／擬似ＣＩ信号生成回路２７０が直流電圧を出力する際には、上述した極性切替リレー３０３による極性の切り替えが行われる。ここで、極性切替リレー３０３による極性の切り替えを行う理由を説明する。即ち、単にフック検知回路２６０に対してオフフック検知を行うための直流電圧を供給するのであれば、供給する直流電圧の極性を考慮する必要はない。それにも関わらず、本実施形態において極性切替リレー３０３による極性の切り替えを行っている理由は以下の通りである。
【００４９】
ステップＳ４０８で、Ｈリレー２５０がＯＮ状態に切り替わると、電話機１８０は電話回線から切り離されるので、電話機１８０には電話回線からの電圧が供給されなくなる。このため、電話機１８０はステップＳ４０５及びＳ４０６で発信電話番号情報を受信したにも関わらず、電話回線から切り離されてしまったと判断し、受信した発信電話番号情報を破棄してしまう場合がある。
【００５０】
これを防止するために本実施形態では、ステップＳ４０８でＨリレー２５０をＯＮ状態にするとともに、続くステップＳ４０９で、電話回線から供給される直流電圧と同じ直流電圧を直流電圧発生回路３０２で発生させ、電話機１８０に供給するようにしている。これにより、電話機１８０が電話回線に接続されたままであるように、電話機１８０に認識させることができる。
【００５１】
しかしながら、このとき直流電圧発生回路３０２で発生させ、ライン対Ｌ１及びＬ２から出力される直流電圧の極性が、電話回線から電話機１８０に供給されていた直流電圧の極性と異なってしまった場合は問題が生じる。即ち、たとえ電話回線からの直流電圧と同じ直流電圧を電話機１８０に供給したとしても、供給される直流電圧の極性が突然変わってしまうと、電話機１８０は、電話回線から切り離されてしまったと判断するおそれがある。
【００５２】
このような事態を回避するために、本実施形態では、単に直流電圧発生回路３０２で発生させた直流電圧を電話機１８０に供給する際に、電話回線の極性に合わせて、極性切替リレー３０３による極性の切り替えを行うようにしている。これにより、Ｈリレー２５０をＯＮ状態にすることにより、電話機１８０が電話回線から切り離された後も、電話機１８０が電話回線に接続されたままの状態であるように電話機１８０に認識させることができる。
【００５３】
なお、ステップＳ４０５で所定時間が経過しても電話機１８０からの一次応答信号を受信しない場合、またはステップＳ４０６で所定時間経過しても電話機１８０からの受信完了信号を受信しない場合に、ステップＳ４０８に進むようにしてもよい。即ち、電話機１８０がナンバーディスプレイ対応の電話機でない場合や、何らかのエラーが発生した場合には電話機１８０から一次応答信号や受信完了信号が送出されてこないことが考えられる。
【００５４】
このような場合にも、所定時間が経過したことに応じてステップＳ４０８に進み、Ｈリレー２５０をＯＮ状態にすることにより、電話回線からのＣＩ信号が電話機１８０に伝送されないようにすることができる。
【００５５】
また、一次応答信号または受信完了信号を受信しないまま所定時間が経過しても、ステップＳ４０８には進まずに電話回線Ｉ／Ｆ２１０と電話機Ｉ／Ｆ２２０を接続したままにしておいても構わない。この場合は、電話回線から伝送されてくるＣＩ信号が直接電話機１８０に伝送されるため電話機１８０は鳴動する。
【００５６】
図４の説明に戻り、ステップＳ４１０では、ＣＩ信号検知回路２８０によるＣＩ信号の検知を行う。そして、ＣＩ信号検知回路２８０が電話回線から伝送されるＣＩ信号を検知した場合には、ステップＳ４１１に進み、リレードライブ回路２９０がＣＭＬリレー２４０を制御し、ＣＭＬリレー２４０をＯＮ状態にする。即ち、電話回線Ｉ／Ｆ２１０とファクシミリ通信回路２３０とが接続されていない状態から接続された状態に切り替える。
【００５７】
図６は、ステップＳ４１１でＣＭＬリレー２４０がＯＮ状態になった後のＮＣＵ１００を示す。図５に示すように、電話回線Ｉ／Ｆ２１０とファクシミリ通信回路２３０とが接続されており、電話回線から受信した信号は、ファクシミリ通信回路２３０に伝送される。
【００５８】
続くステップＳ４１２では、ファクシミリ通信回路２３０がＣＮＧ信号を検知することにより電話回線からの着信が電話着信であるかファクシミリ着信であるかを識別する。ステップＳ４１２において、ＣＮＧ信号が送信されてきたと判定された場合は、ステップＳ４１３に進み、送信元のファクシミリ装置からファクシミリデータを受信して終了する。
【００５９】
一方、ＣＮＧ信号が送信されてこないまま所定の時間が経過すると（ステップＳ４１２でＮｏ）、電話の着信であると判定し、ステップＳ４１４において、直流電圧発生回路／擬似ＣＩ信号生成回路２７０が生成した擬似ＣＩ信号を電話機１８０に送出する。このとき、直流電圧発生回路３０２により発生された直流電圧は継続して電話機１８０に供給されているため、直流電圧発生回路３０２が発生させた直流電圧と、擬似ＣＩ信号生成回路３０１が生成した擬似ＣＩ信号とは重畳して出力される。
【００６０】
そして、続くステップＳ４１５において、フック検知回路２６０による電話機１８０のオフフックの検知を行う。このとき、電話機１８０には、発信電話番号情報に基づく発信元の電話番号の表示が行われているので、ユーザは表示された発信元の電話番号を確認した上で電話に出るかどうかを判断することができる。なお、電話機１８０のオフフックの検知は、フック検知回路２６０が直流電圧発生回路／擬似ＣＩ信号生成回路２７０により発生された直流電圧を用いて行う。
【００６１】
電話機１８０がオフフックされたと判定された場合は、ステップＳ４１６においてＨリレー２５０をＯＦＦ状態にするとともに、ステップＳ４１７においてＣＭＬリレー２４０をＯＦＦ状態にする。即ち、ＮＣＵ１００は図２に示す状態となる。これにより、電話機１８０は電話回線に接続される。そして、ステップＳ４１８において、電話機１８０を用いた音声通話が行われる。
【００６２】
図７は、無鳴動着信モードが設定されている状態でファクシミリ着信があった場合の、電話回線、ＮＣＵ１００、電話機１８０のそれぞれの動作を概念的に示す図である。なお、ここでの「電話回線」とは電話回線上に設置された交換機などの各種装置を示すものとする。また、以下の説明において図４に示すフローチャートの各ステップに対応する箇所については、図４と同一のステップ番号を示す。
【００６３】
まず、図１に示すファクシミリ装置（電話機１８０）宛ての発呼があった場合に、ステップＳ７０１において、電話回線は極性を反転させる。ステップＳ７０２ではＮＣＵ１００の極性検知回路２０１及び２０２が電話回線の極性反転を検知する。また、ステップＳ７０３では、電話機１８０も電話回線の極性反転を検知する。
【００６４】
ステップＳ７０４では、電話回線が一次呼出信号を送出し、ステップＳ７０５において、電話機１８０がこの一次呼出信号を受信する。一次呼出信号を受信した電話機１８０は、ステップＳ７０６で一次応答信号を送出する。ステップＳ７０７では、ＮＣＵ１００のフック検知回路２６０が電話機１８０から送出された一次応答信号を検知する（Ｓ４０５）。また、ステップＳ７０８では、電話回線も電話機１８０から送出された一次応答信号を検知する。
【００６５】
ステップＳ７０９では、電話回線が発信電話番号情報を送出し、ステップＳ７１０において、電話機１８０がこの発信電話番号情報を受信する。発信電話番号情報を受信した電話機１８０は、ステップＳ７１１で受信完了信号を送出する。ステップＳ７１２では、ＮＣＵ１００のフック検知回路２６０が電話機１８０から送出された受信完了信号を検知する（Ｓ４０６）。また、ステップＳ７１３では、電話回線も電話機１８０から送出された受信完了信号を検知する。
【００６６】
電話機１８０から送出された受信完了信号を検知したことに応じて、ステップＳ７１４において、ＮＣＵ１００のリレードライブ回路２９０はＨリレー２５０をＯＮ状態にする（Ｓ４０８）。また、これとともに、ステップＳ７１５において直流電圧発生回路／擬似ＣＩ信号生成回路２７０で発生させた直流電圧を電話機１８０に供給する（Ｓ４０９）。
【００６７】
次に、電話回線はステップＳ７１６において、ＣＩ信号を送出する。ＮＣＵ１００のＣＩ信号検知回路２８０は、ステップＳ７１７で、電話回線から伝送されるＣＩ信号を検知する（Ｓ４１０）。
【００６８】
ＣＩ信号を検知したＮＣＵ１００では、ステップＳ７１８で、ＮＣＵ１００のリレードライブ回路２９０がＣＭＬリレー２４０をＯＮ状態にする（Ｓ４１１）。また、ＮＣＵ１００のファクシミリ通信回路２３０は、電話回線からＣＮＧ信号が伝送されてきたかどうかを判定する（Ｓ４１２）。なお、図７ではファクシミリ着信があった場合について説明するので、ここではＣＮＧ信号が伝送されてこないと判定される。
【００６９】
ＣＮＧ信号が伝送されてこないと判定された場合、ステップＳ７２０では、ＮＣＵ１００の直流電圧発生回路／擬似ＣＩ信号生成回路２７０で生成した擬似ＣＩ信号を電話機１８０に送出する（Ｓ４１４）。
【００７０】
ステップＳ７２１で擬似ＣＩ信号を受信した電話機１８０は、ステップＳ７２２で自機を鳴動させてユーザに着信を通知する。
【００７１】
ＮＣＵ１００は、擬似ＣＩ信号を送出しつつ、フック検知回路２６０による電話機１８０のオフフックの検知を行う（Ｓ４１５）。ステップＳ７２３で電話機１８０のオフフックが検知されると、続くステップＳ７２４でＮＣＵ１００のリレードライブ回路２９０がＨリレー２５０をＯＦＦ状態にする（Ｓ４１６）。また、ＮＣＵ１００のリレードライブ回路２９０は、ステップＳ７２５でＣＭＬリレー２４０をＯＦＦ状態にする（Ｓ４１７）。
【００７２】
以上説明した構成により、無鳴動着信モードが設定されている場合であっても、ファクシミリ装置に接続された電話機に発信元の電話番号を表示させることが可能となる。即ち、本実施形態では、従来のＮＣＵの構成を大きく変更することなく、簡単な構成により、無鳴動着信モードが設定されている場合にも、ファクシミリ装置に接続された電話機に発信元の電話番号を表示させるようにすることができる。
【００７３】
（その他の実施形態）
以上、実施形態例を詳述したが、本発明は、例えば、システム、装置、方法、プログラム若しくはコンピュータ読み取り可能な記憶媒体（記録媒体）等としての実施態様をとることが可能である。具体的には、複数の機器から構成されるシステムに適用しても良いし、また、一つの機器からなる装置に適用しても良い。
【００７４】
尚、本発明は、前述した実施形態の機能を実現するソフトウェアのプログラム（実施形態では図に示すフローチャートに対応したプログラム）を、システムあるいは装置に直接あるいは遠隔から供給する。そして、そのシステムあるいは装置のコンピュータが該供給されたプログラムコードを読み出して実行することによっても達成される場合を含む。
【００７５】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００７６】
その場合、プログラムの機能を有していれば、オブジェクトコード、インタプリタにより実行されるプログラム、ＯＳに供給するスクリプトデータ等の形態であっても良い。
【００７７】
プログラムを供給するための記録媒体としては、例えば、以下のようなものがある。フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）。
【００７８】
その他、プログラムの供給方法としては、クライアントコンピュータのブラウザを用いてインターネットのホームページからハードディスク等の記録媒体にダウンロードすることによっても供給できる。すなわち、ホームページに接続し、該ホームページから本発明のコンピュータプログラムそのもの、もしくは圧縮され自動インストール機能を含むファイルをダウンロードする。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００７９】
また、本発明のプログラムを暗号化してＣＤ−ＲＯＭ等の記憶媒体に格納してユーザに配布する。そして、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００８０】
また、コンピュータが、読み出したプログラムを実行することによって、前述した実施形態の機能が実現される。その他にも、そのプログラムの指示に基づき、コンピュータ上で稼動しているＯＳなどが、実際の処理の一部または全部を行い、その処理によっても前述した実施形態の機能が実現され得る。
【００８１】
さらに、記録媒体から読み出されたプログラムが、コンピュータに挿入された機能拡張ボードやコンピュータに接続された機能拡張ユニットに備わるメモリに書き込まれた後にも前述した実施形態の機能が実現される。すなわち、そのプログラムの指示に基づき、その機能拡張ボードや機能拡張ユニットに備わるＣＰＵなどが実際の処理の一部または全部を行うことによっても前述した実施形態の機能が実現される。
【図面の簡単な説明】
【００８２】
【図１】本発明の実施形態におけるファクシミリ装置の全体構成を示すブロック図である。
【図２】本発明の実施形態におけるＮＣＵ１００の構成を示すブロック図である。
【図３】本発明の実施形態におけるＣＩ信号検知回路２８０の構成を示すブロック図である。
【図４】本発明の実施形態におけるフローチャートである。
【図５】本発明の実施形態におけるＮＣＵ１００の構成を示すブロック図である。
【図６】本発明の実施形態におけるＮＣＵ１００の構成を示すブロック図である。
【図７】本発明の実施形態における、無鳴動着信モードが設定された状態でファクシミリ着信があった場合の動作を概念的に示す図である。
【図８】従来のＮＣＵの構成を示すブロック図である。
【図９】従来のＮＣＵの構成を示すブロック図である。
【符号の説明】
【００８３】
１００  ＮＣＵ
１１０  システム制御部
１１１  ＣＰＵ
１１２  ＲＯＭ
１１３  タイマー
１１４  ＲＡＭ
２３０  ファクシミリ通信回路
２４０  ＣＭＬリレー
２５０  Ｈリレー
２８０  ＣＩ信号検知回路
【図１】
2009303132.tif 000003
【図２】
2009303132.tif 000004
【図３】
2009303132.tif 000005
【図４】
2009303132.tif 000006
【図５】
2009303132.tif 000007
【図６】
2009303132.tif 000008
【図７】
2009303132.tif 000009
【図８】
2009303132.tif 000010
【図９】
2009303132.tif 000011